(57)【要約】【課題】  縫製情報を記載した複数枚の説明カードを紛失することなく収納しておくことができ、しかも必要に応じて随時容易に使用できるようにすること。【解決手段】  縫目形成手段と、縫目形成手段に対する縫製情報の設定と表示の少なくとも一方を実現するための設定表示パネル５とを有する穴かがりミシンにおいて、縫製情報が記載されるための説明カード３５〜３７であって、設定表示パネル５の背面近傍部に配設された説明カード３５〜３７と、説明カード３５〜３７の縫製情報を、縫製情報の設定及び表示確認を行う設定表示パネル５の前側から見ることのできる使用位置と、説明カード３５〜３７が設定表示パネル５の後側に退避した収納位置とに亙って、説明カード３５〜３７をそれと平行な平面内で回動させることで位置切換え可能に説明カード３５〜３７を設定表示パネル５に枢支する枢支機構３０とを備えた。【選択図】  図４
2005143634.tif 000002
【特許請求の範囲】
【請求項１】
縫目形成手段と、前記縫目形成手段に対する縫製情報の設定と表示の少なくとも一方を実現するための設定表示パネルとを有する縫製装置において、
前記縫製情報が記載されるための説明カードであって、前記設定表示パネルの背面近傍部に配設された説明カードと、
前記説明カードの縫製情報を、縫製情報の設定と表示確認との少なくとも１つを行う前記設定表示パネルの前側から見ることのできる使用位置と、前記説明カードが前記設定表示パネルの後側に退避した収納位置とに亙って、前記説明カードをそれと平行な平面内で回動させることで位置切換え可能に前記説明カードを前記設定表示パネルに枢支する枢支機構と、
を備えたことを特徴とする縫製装置。
【請求項２】
前記説明カードとして縫製情報の異なる複数の説明カードが設けられ、
前記枢支機構は、複数の説明カードに夫々形成した複数の被枢支穴と、これら被枢支穴に挿通され前記設定表示パネルに付設された枢支軸部材と、前記複数の被枢支穴の付近において複数の説明カードに回動抵抗を付加する弾性部材とを備えたことを特徴とする請求項１に記載の縫製装置。
【請求項３】
前記枢支軸部材は、前記設定表示パネルを構成する２つのケース構成部材を締結するボルト部材でもって構成されたことを特徴とする請求項２に記載の縫製装置。
【請求項４】
前記説明カード及び前記設定表示パネルは夫々正面視にて矩形状をなし、前記被枢支穴は収納位置にあるときの説明カードの右上隅部に形成され、前記枢支軸部材は前記設定表示パネルの右上隅付近部位に配設されたことを特徴とする請求項２又は３に記載の縫製装置。
【請求項５】
各説明カードに前記収納位置にした状態でも前記設定表示パネルよりも前側から見ることのできる突出部を設け、複数の突出部が相互にラップしないように複数の突出部の説明カード上の位置を設定したことを特徴とする請求項４に記載の縫製装置。
【請求項６】
前記説明カードは、前記収納位置から枢支軸部材を中心にして時計回りに回動させて使用位置に切換えられることを特徴とする請求項４に記載の縫製装置。
【請求項７】
前記説明カードを収納位置から使用位置へ回動させる方向は、前記縫目形成手段から遠ざかる方向であることを特徴とする請求項１〜５の何れかに記載の縫製装置。
【請求項８】
前記説明カードに記載さた縫製情報は、説明カードを使用位置に切換えた使用位置姿勢において目視可能な向きに記載されていることを特徴とする請求項１〜７の何れかに記載の縫製装置。
【請求項９】
前記説明カードの収納位置は、説明カードの下端が前記設定表示パネルの脚部の一部に係止した位置であることを特徴とする請求項１〜８の何れかに記載の縫製装置。
【請求項１０】
前記説明カードは、前記枢支機構を介して着脱可能に構成されていることを特徴とする請求項１〜９の何れかに記載の縫製装置。
【発明の詳細な説明】
【技術分野】
【０００１】
本発明は、設定表示パネルを有する縫製装置に関し、特に縫製条件や説明情報に関する縫製情報を記載する説明カードを、収納位置と使用位置とに切換え可能に設定表示パネルに設けるようにしたものに関する。
【背景技術】
【０００２】
従来、縫製装置として、例えば、各種のかがり縫いや閂止め縫いが可能なかがり縫いミシンは、一般的には、作業テーブル上に正面向きに載置されるとともに、その作業テーブル上には、各種の表示器や表示ランプを有するほぼ矩形状且つ平面状の設定表示パネルがかがり縫いミシンの側方に載置されている。
【０００３】
そこで、オぺレータは、かがり縫いの開始に際して、縫製に供するかがり縫目の縫目模様を設定する一方、その選択した縫目模様の縫製に必要な、縫目ピッチや縫目長さ、更には縫製速度等の各種のパラメータを設定表示パネルに設定するようにしてある（例えば、特許文献１）。
【０００４】
この種のかがり縫いミシンにおいては、複数種類のかがり縫目や閂止め縫目を縫製可能であるため、これら複数種類の縫目模様を記載した複数枚の説明カードが準備されているだけでなく、縫製中にエラーが発生して設定表示パネルに表示されたエラー番号のエラー内容を説明する説明カード等が準備されている。
【０００５】
設定表示パネルの後側には、通常の場合、スリット状の収納部が形成されているので、これら複数枚の説明カードは、その収納部に差し込むようにして収納しておき、必要な説明カードだけを随時引き出して、その縫目模様等の説明情報を参照しながら縫目模様番号を設定表示パネルに設定するようにしている。
【０００６】
【特許文献１】特開平９−２９４８８４号公報  （第４頁、図１）
【発明の開示】
【発明が解決しようとする課題】
【０００７】
前述したように、複数種類の縫目模様を記載した複数枚の説明カードやエラー番号のエラー内容を説明する説明カード等からなる複数枚の説明カードは、一般的に、設定表示パネルの後側に形成された収納部に差し込んで収納しておき、必要な説明カードを取出して使用するため、説明カードの移動が可能になり、取出した説明カードを紛失したり、破損する等して、説明カードが使えなくなる場合がある。
【課題を解決するための手段】
【０００８】
請求項１の縫製装置は、縫目形成手段と、縫目形成手段に対する縫製情報の設定と表示の少なくとも一方を実現するための設定表示パネルとを有する縫製装置において、縫製情報が記載されるための説明カードであって、設定表示パネルの背面近傍部に配設された説明カードと、説明カードの縫製情報を、縫製情報の設定と表示確認との少なくとも１つを行う設定表示パネルの前側から見ることのできる使用位置と、説明カードが設定表示パネルの後側に退避した収納位置とに亙って、説明カードをそれと平行な平面内で回動させることで位置切換え可能に説明カードを設定表示パネルに枢支する枢支機構とを備えたものである。
【０００９】
この縫製装置には、縫製情報の設定と表示確認との少なくとも１つを行う設定表示パネルが設けられており、縫製情報が記載されるための説明カードであって、設定表示パネルの背面近傍部に配設された説明カードは、枢支機構により使用位置と収納位置とに、説明カードと平行な平面内で回動させて切換え可能に枢支されている。
【００１０】
そこで、説明カードを収納位置に切換えた場合には、設定表示パネルの後側に退避させてコンパクトに収納でき、説明カードを使用位置に切換えた場合には、説明カードに記載されている縫製情報を設定表示パネルの前側から見ることができる。
【００１１】
ここで、前記説明カードとして縫製情報の異なる複数の説明カードが設けられ、枢支機構は、複数の説明カードに夫々形成した複数の被枢支穴と、これら被枢支穴に挿通され設定表示パネルに付設された枢支軸部材と、複数の被枢支穴の付近において複数の説明カードに回動抵抗を付加する弾性部材とを備えた場合（請求項１に従属の請求項２）には、設定表示パネルに付設された枢支軸部材を、複数の説明カードの各々に形成された被枢支穴に順次挿通させ、更に弾性部材にてこれら複数の説明カードの被枢支穴の付近において回動抵抗が付加されるため、所望の説明カードだけを収納位置から使用位置に切換えでき、しかも使用位置に切換えた説明カードをその使用位置に保持できる。
【００１２】
ここで、前記枢支軸部材は、設定表示パネルを構成する２つのケース構成部材を締結するボルト部材でもって構成された場合（請求項２に従属の請求項３）には、枢支機構に用いる枢支軸部材を別途設けることなく、設定表示パネルを構成する２つのケース構成部材を締結するボルト部材を兼用することで、有効利用できる。
【００１３】
ここで、前記説明カード及び設定表示パネルは夫々正面視にて矩形状をなし、被枢支穴は収納位置にあるときの説明カードの右上隅部に形成され、枢支軸部材は設定表示パネルの右上隅付近部位に配設された場合（請求項２又は３に従属の請求項４）には、説明カードを、前側から見て、時計回りに少なくとも９０度回動させて使用位置に切換えることにより、説明カードの略全体を枢支軸部材よりも上側に位置させることができ、説明カードに記載された縫製情報の全てを、設定表示パネルの前側から見ることができる。
【００１４】
ここで、各説明カードに収納位置にした状態でも設定表示パネルよりも前側から見ることのできる突出部を設け、複数の突出部が相互にラップしないように複数の突出部の説明カード上の位置を設定した場合（請求項４に従属の請求項５）には、収納位置にある複数の説明カードのうちの所望の説明カードを、それに設けられた突出部を摘んで引き出すようにして、その説明カードだけを使用位置に切換えできる。
【００１５】
ここで、前記説明カードは、収納位置から枢支軸部材を中心にして時計回りに回動させて使用位置に切換えられる場合（請求項４に従属の請求項６）には、説明カードを時計回りに回動させて使用位置に切換えできるため、特に右利きのオペレータにとって、操作し易い。
【００１６】
ここで、前記説明カードを収納位置から使用位置へ回動させる方向が、縫目形成手段から遠ざかる方向である場合（請求項１〜５の何れかに従属の請求項７）には、説明カードを収納位置から使用位置へ回動させた場合、縫目形成手段から遠ざかるため、作業者の衣類に縫目形成手段の縫針を引っ掛けて、縫針を破損又は変形させることがない。
【００１７】
ここで、前記説明カードに記載さた縫製情報は、説明カードを使用位置に切換えた使用位置姿勢において目視可能な向きに記載されている場合（請求項１〜７の何れかに従属の請求項８）には、説明カードを使用位置に切換えた状態で、説明カードに記載された縫製情報を読み易い。
【００１８】
ここで、前記説明カードの収納位置は、説明カードの下端が設定表示パネルの脚部の一部に係止した位置である場合（請求項１〜８の何れかに従属の請求項９）には、説明カードを収納位置で回動規制させる規制部材を別途設けることなく、設定表示パネルの脚部の一部を有効利用して、複数枚の説明カードの全てを、綺麗に揃えて収納位置に切換えできる。
【００１９】
ここで、前記説明カードは、枢支機構を介して着脱可能に構成されている場合（請求項１〜９の何れかに従属の請求項１０）には、不要になった説明カードを取外したり、別途用意した新規の説明カードを枢支機構に枢支させることができる。
【発明の効果】
【００２０】
請求項１の発明によれば、縫目形成手段と設定表示パネルとを備え、縫製情報が記載されるための説明カードであって、設定表示パネルの背面近傍部に配設された説明カードと、説明カードの縫製情報を、縫製情報の設定と表示確認との少なくとも１つを行う設定表示パネルの前側から見ることのできる使用位置と、説明カードが設定表示パネルの後側に退避した収納位置とに亙って、説明カードをそれと平行な平面内で回動させることで位置切換え可能に説明カードを設定表示パネルに枢支する枢支機構とを設けたので、説明カードをこれと平行な平面内で回動させて、使用位置と収納位置とに亙って切換える切換え操作の操作性を向上でき、しかも使用位置に切換えた説明カードに記載さている縫製情報を設定表示パネルの前側から見ることができる。更に、使用しない説明カードを収納位置に収納しておけるため、説明カードを紛失したり、破損することを確実に防止することができる。
【００２１】
請求項２の発明によれば、前記説明カードとして縫製情報の異なる複数の説明カードが設けられ、枢支機構は、複数の説明カードに夫々形成した複数の被枢支穴と、これら被枢支穴に挿通され設定表示パネルに付設された枢支軸部材と、複数の被枢支穴の付近において複数の説明カードに回動抵抗を付加する弾性部材とを備えたので、所望の説明カードだけを収納位置から使用位置に容易に切換えることが可能になる。しかも、使用位置に切換えた説明カードをその使用位置に保持でき、作業性を向上させることができる。その他請求項１と同様の効果を奏する。
【００２２】
請求項３の発明によれば、前記枢支軸部材は、設定表示パネルを構成する２つのケース構成部材を締結するボルト部材でもって構成されたので、枢支機構に用いる枢支軸部材を別途余分に設ける必要がなく、設定表示パネルを構成する２つのケース構成部材を締結するボルト部材を兼用して有効利用でき、枢支機構を簡単化できる上、枢支機構のコストを安価にできる。その他請求項２と同様の効果を奏する。
【００２３】
請求項４の発明によれば、前記説明カード及び設定表示パネルは夫々正面視にて矩形状をなし、被枢支穴は収納位置にあるときの説明カードの右上隅部に形成され、枢支軸部材は設定表示パネルの右上隅付近部位に配設されたので、説明カードを、前側から見て、時計回りに少なくとも９０度回動させて使用位置に切換えることにより、説明カードの略全体を枢支軸部材よりも上側に位置させることができ、説明カードに記載された縫製情報の全てを、設定表示パネルの前側から見ることができ、枢支機構による説明カードの表示機能を発揮することができる。その他請求項２又は３と同様の効果を奏する。
【００２４】
請求項５の発明によれば、各説明カードに収納位置にした状態でも設定表示パネルよりも前側から見ることのできる突出部を設け、複数の突出部が相互にラップしないように複数の突出部の説明カード上の位置を設定したので、収納位置にある複数の説明カードのうちの所望の説明カードを、それに設けられた突出部を摘んで引き出して使用位置に切換えできるため、説明カードの操作性が向上する。その他請求項４と同様の効果を奏する。
【００２５】
請求項６の発明によれば、前記説明カードは、収納位置から枢支軸部材を中心にして時計回りに回動させて使用位置に切換えられるので、特に右利きのオペレータによる操作性を高めることができる。その他請求項４と同様の効果を奏する。
【００２６】
請求項７の発明によれば、前記説明カードを収納位置から使用位置へ回動させる方向は、縫目形成手段から遠ざかる方向であるので、説明カードを収納位置から使用位置へ回動させた場合に、縫針が作業者の衣類により破損又は変形しないような対策が可能になる。その他請求項１〜５の何れかと同様の効果を奏する。
【００２７】
請求項８の発明によれば、前記説明カードに記載さた縫製情報は、説明カードを使用位置に切換えた使用位置姿勢において目視可能な向きに記載されているので、説明カードを使用位置に切換えた使用可位置姿勢における縫製情報の読み易さ、表示能力を高めることができる。その他請求項１〜７の何れかと同様の効果を奏する。
【００２８】
請求項９の発明によれば、前記説明カードの収納位置は、説明カードの下端が設定表示パネルの脚部の一部に係止した位置であるので、説明カードを収納位置に回動規制が可能となり、しかも複数枚の説明カードの全てを、綺麗に揃えて収納位置に切換えることができる。
【００２９】
請求項１０の発明によれば、前記説明カードは、枢支機構を介して着脱可能に構成されているので、不要になった説明カードの取外しを可能にでき、しかも別途用意した新規の説明カードを枢支機構に枢支させることが随時可能になる。その他請求項１〜９の何れかと同様の効果を奏する。
【発明を実施するための最良の形態】
【００３０】
本実施形態の縫製装置は、縫製条件に関する説明情報と、縫目に関する縫目情報とを含む縫製説明情報を記載した複数枚の説明カードを、設定表示パネルのケース部材に枢支し、設定表示パネルの後側の収納位置と、設定表示パネルよりも前方から見える使用位置とに切換え可能にしてある。
【実施例】
【００３１】
図１に示すように、縫製装置である穴かがりミシン１は、各種の穴かがり縫目を縫製可能であり、略矩形箱状をなすベッド部２に、その後方部の上部から前方に連続して延びるアーム部３を一体的に有して構成され、ミシンテーブル４上に載置されている。このミシンテーブル４上には、穴かがりミシン１に隣接させて、設定表示パネル５が配設されている。
【００３２】
このミシンテーブル４には、図示を省略するが、縫目形成手段を構成する縫針７を取付けた針棒やルーパー等を同期駆動させる駆動機構の駆動源となるミシンモータ、足踏み式の起動・停止スイッチなどが設けられ、更に各駆動機構の作動を制御するマイクロコンピュータからなる制御装置が設けられている。
【００３３】
詳しく図示はしないが、アーム部３の先端下部には、縫針７を備えた針棒が上下動可能に設けられ、ミシンモータの駆動により回転する主軸の回転力がカム機構に伝達され、所定幅分だけ左右に揺動しながら上下駆動されるようになっている。この場合、主軸の１回転により、針棒は左側揺動位置と右側揺動位置とに２回上下動するようになっている。
【００３４】
ベッド部２の上面部には、加工布がセットされる送り台６が移動可能に設けられている。この送り台６は、全体として薄形の矩形箱状をなし、ベッド部２内には、この送り台６を、ステッピングモータからなるＸ方向送りモータの駆動によりＸ方向（左右方向）に送り移動させるＸ方向移動機構（図示略）と、ステッピングモータからなるＹ方向送りモータの駆動によりＹ方向（前後方向）に送り移動させるＹ方向移動機構（図示略）とが設けられている。
【００３５】
次に、設定表示パネル５について説明する。
【００３６】
図２〜図４に示すように、設定表示パネル５は、ミシンテーブル４上に載置支持する脚部１０と、この脚部１０と一体に形成された正面視矩形状の前側フレーム１１と、この前側フレーム１１を後側から覆う後側フレーム１２とを有し、これら前後両側フレーム１１，１２が複数の締結ボルト１５，１６（これらがボルト部材に相当する）で締結されている。
【００３７】
即ち、前側フレーム１１の内部に複数の締結用ボス部１１ａが形成されるとともに、後側フレーム１２には、これら複数の締結用ボス部１１ａに対応するように、複数の筒状の締結用支持部１２ａが形成され、各締結用ボス部１１ａにはネジ穴１１ｂが形成されている。各締結用支持部１２ａ内に締結ボルト１５，１６を挿通させて、その先端部のネジ部１５ａ，１６ａを締結用ボス部１１ａのネジ穴１１ｂに螺着することで、これら前後両フレーム１１，１２が締結されている。
【００３８】
設定表示パネル５内にパネル用制御基板１４が配設され、このパネル用制御基板１４は、複数の締結用ボス部１１ａの先端部に係合された状態で、後側から締結用支持部１２ａにより押圧保持されている。そのパネル用制御基板１４の前面側に、第１及び第２表示器２０，２１と、「糸密度」や「縫目長さ」等の複数種類の縫製パラメータ設定を指定するスイッチ２２〜２４と、縫製パラメータの設定値を増加させるインクリメントスイッチ２５及び減少させるデクリメントスイッチ２６と、作動状態を示す複数の表示ランプ２７が設けられている。
【００３９】
これら第１及び第２表示器２０，２１に表示された表示情報や表示ランプ２７の点灯状態を、前側フレーム１１に形成した複数の開口部を介してオペレータに表示可能に、また各種のスイッチ２２〜２４を操作可能になっている。ここで、第１表示器２０は、３つの７セグメント表示素子を有し、縫目模様番号やエラーコードが３桁表示され、第２表示器２１は、４つの７セグメント表示素子を有し、縫製速度や予め設定されている縫製パラメータが４桁表示される。
【００４０】
次に、複数枚の説明カードを、設定表示パネル５の背面において、ケース部材１３に回動可能に枢支する枢支機構３０について説明する。
【００４１】
先ず、その枢支機構３０で枢支される複数枚の説明カード３５〜３７について説明しておく。
【００４２】
１枚目の説明カード３５は、図５に示すように、「運針パターン１」であり、複数種類の直線状の穴かがり縫目の「縫目模様」と、「縫目番号」と、「針数」を対応させた縫目説明情報を記載した矩形状且つ平面状のカードである。２枚目の説明カード３６は、図６に示すように、「運針パターン２」であり、特殊な穴かがり縫目の「縫目模様」と、「縫目番号」と、「針数」を対応させた縫目説明情報を記載した矩形状且つ平面状のカードである。
【００４３】
３枚目の説明カード３７は、図７に示すように、「エラーコード」であり、縫製開始時や縫製途中において、第１表示器２０に表示される複数種類の「エラーコード番号」と、エラーが発生した場合の「原因」と、その「対処方法」とを対応させたエラー説明情報を記載した矩形状且つ平面状のカードである。
【００４４】
このように、同様の形状及びサイズである３枚の説明カード３５〜３７の収納姿勢（図５〜図７参照）における右上隅部には、後述する段付き枢支ボルト１６の枢支部１６ｂを挿通可能な被枢支穴３５ａ〜３７ａが夫々形成されている。ここで、これら説明カード３５〜３７には、「縫目模様」、「エラー説明情報」だけでなく、「縫製条件」、「各ュの設定情報」、「縫製説明情報」等からる縫製情報が記載されてもよい。
【００４５】
図４に示すように、前側フレーム１１と後側フレーム１２とを４つの隅部において夫々締結する４本の締結ボルト１５，１６のうち、右上隅付近部位の締結ボルト１６だけは、手で回転操作が可能なツマミ部１６ａを頭部に有する段付き枢支ボルト１６（これが枢支軸部材に相当する）として構成されている。それ故、この段付き枢支ボルト１６は、ツマミ部１６ａと、外形寸法がツマミ部１６ａの直径よりも小さい直径を有する段部である枢支部１６ｂと、先端部に雄ネジが形成されたネジ軸部１６ｃとからなっている。
【００４６】
そこで、その段付き枢支ボルト１６の枢支部１６ｂに、波形座金３１と３枚の説明カード３５〜３７の被枢支穴３５ａ〜３７ａとが挿通された状態で、段付き枢支ボルト１６のネジ軸部１６ｃを締結用ボス部１１ａのネジ穴１１ｂに螺着されている。この場合、複数枚の説明カード３５〜３７は、段付き枢支ボルト１６の枢支部１６ｂにより、図２，図３に示すように、これら説明カード３５〜３７の下端を夫々脚部１０の上端に載置させた収納位置と、図８に実線で示すように、その収納位置から時計回りに約９０度回動させた直立姿勢の使用位置に、説明カード３５〜３７と平行な平面内で切換え回動可能である。
【００４７】
しかも、これら３枚の説明カード３５〜３７には、その被枢支穴３５ａ〜３７ａ付近において波形座金３１の弾性付勢力が夫々作用して、回動抵抗が付加されているため、使用位置に切換えられた何れの説明カード３５〜３７も、その回動抵抗により使用位置に確実に保持される。
【００４８】
この場合、図２〜図４に示すように、後側フレーム１２の左端近傍部には、縦方向に細長く、側面視Ｌ字状の板部材からなるガイド板３３が一体形成されている。即ち、ガイド板３３の下端部に一体形成され、後側フレーム１２に対して所定寸法だけ前方に延びる下端壁部３３ａは複数枚の説明カード３５〜３７の下端を支持するとともに、その下端壁部３３ａの後端から上方に延びる支持壁部３３ｂにより説明カード３５〜３７の後側を支持するようになっいる。その為、複数枚の説明カード３５〜３７を収納位置に切換えた場合、これら説明カード３５〜３７の左側端部分をガイド板３３で後方から支持することができ、ばらつくようなことがない。
【００４９】
ところで、３枚の説明カード３５〜３７の収納姿勢における上端部には、設定表示パネル５の前方から見ることのできる突出部３５ｂ〜３７ｂが夫々形成されている。即ち、１枚目の「運針パターン１」の説明カード３５では、図５に示すように、突出部３５ｂは上端の左端部に設けられ、その突出部３５ｂにカード名「運針パターン１」が記載されている。また、２枚目の「運針パターン２」の説明カード３６では、図６に示すように、突出部３６ｂは上端の中央部に設けられ、その突出部３６ｂにカード名「運針パターン２」が記載されている。
【００５０】
更に、３枚目の「エラーコード１」の説明カード３７では、図７に示すように、突出部３７ｂは上端の右端部に設けられ、その突出部３７ｂにカード名「エラーコード」が記載されている。即ち、これら複数の突出部３５ｂ〜３７ｂは相互にラップしないように、複数の突出部３５ｂ〜３７ｂの説明カード３５〜３７上の位置が設定されている。それ故、オペレータは、これら突出部３５ｂ〜３７ｂを指で摘むことで、所望の１枚の説明カード３５〜３７だけを択一的に選択することができ、その説明カード３５〜３７だけを使用位置に切換えできる。
【００５１】
次に、このように枢支機構３０に枢支された複数枚の説明カード３５〜３７の作用及び効果について説明する。
【００５２】
前述したように、「運針パターン１」、「運針パターン２」、「エラーコード」からなる３枚の説明カード３５〜３７は、手前側からこの順に並べられ、これら３枚の説明カード３５〜３７がこの順序で段付き枢支ボルト１６により枢支されているので、オペレータが、縫製開始に際して、「運針パターン１」又は「運針パターン２」の何れかを参照して、「かがり縫目の種類」とその「設定番号」を知りたい場合について説明する。
【００５３】
この場合には、オペレータは先ず、斜め前方から複数の突出部３５ｂ〜３７ｂに記載されたカード名を参照して、１枚目の説明カード３５（運針パターン１）の突出部３５ｂを指で摘んで時計回り方向に約９０度分回動させて、図８に示すように、直立姿勢の使用位置に切換えできる。この使用位置において、前述した波形座金３１の弾性力により、説明カード３５（運針パターン１）はその使用位置に確実に保持される。
【００５４】
このとき、所望のかがり縫目の縫目模様を見い出せなかった場合には、説明カード３５（運針パターン１）を反時計回り方向に約９０度分回動させて、収納位置に切換える。そして、別の説明カード３６（運針パターン２）を時計回り方向に約９０度分回動させて、使用位置に切換える。この場合にも、説明カード３６（運針パターン２）は、波形座金３１の弾性力により、同様にその使用位置に確実に保持される。
【００５５】
ところで、縫製装置にオプションとして、何も記載されていないユーザー用説明カード（図示略）を購入した場合には、そのユーザー用説明カードに所望の縫目模様や模様番号を記載したり、予め用意されているシールを貼着しておき、段付き枢支ボルト１６を取外し、新規に作成したユーザー用説明カードを追加してもよく、「運針パターン１」又は「運針パターン２」と交換するようにしてもよい。
【００５６】
このように、縫目説明情報やエラー説明情報等が記載されるための説明カード３５〜３７であって、設定表示パネル５の背面近傍部に配設された説明カード３５〜３７と、説明カード３５〜３７の縫製情報を、縫製情報の設定と表示確認とを行う設定表示パネル５の前側から見ることのできる使用位置と、説明カード３５〜３７が設定表示パネル５の後側に退避した収納位置とに亙って、説明カード３５〜３７をそれと平行な平面内で回動させることで位置切換え可能に説明カード３５〜３７を設定表示パネル５に枢支する枢支機構３０とを設けたので、説明カード３５〜３７をこれと平行な平面内で回動させて、使用位置と収納位置とに亙って切換える切換え操作の操作性を向上できる。
【００５７】
しかも、使用位置に切換えた説明カード３５〜３７に記載さている縫製情報を設定表示パネル５の前側から見ることができる。更に、使用しない説明カード３５〜３７を収納位置に収納しておけるため、説明カード３５〜３７を紛失したり、破損することを確実に防止することができる。
【００５８】
また、説明カード３５〜３７として縫製情報の異なる複数の説明カード３５〜３７が設けられ、枢支機構３０は、複数の説明カード３５〜３７に夫々形成した複数の被枢支穴３５ａ〜３７ａと、これら被枢支穴３５ａ〜３７ａに挿通され設定表示パネル５に付設された段付き枢支ボルト１６と、複数の被枢支穴３５ａ〜３７ａの付近において複数の説明カード３５〜３７に回動抵抗を付加する波形座金３１とを備えたので、所望の説明カード３５〜３７だけを収納位置から使用位置に容易に切換えることが可能になる。しかも、使用位置に切換えた説明カード３５〜３７をその使用位置に保持でき、作業性を向上させることができる。
【００５９】
また、段付き枢支ボルト１６は、設定表示パネル５を構成する前後２つのフレーム１１，１２を締結する締結ボルトでもって構成されたので、枢支機構３０に用いる段付き枢支ボルト１６を別途余分に設ける必要がなく、設定表示パネル５を構成する前後２つのフレーム１１，１２を締結する締結ボルトを兼用して使用でき、枢支機構３０を簡単化できる上、枢支機構３０のコストを安価にできる。
【００６０】
また、説明カード３５〜３７及び設定表示パネル５は夫々正面視にて矩形状をなし、被枢支穴３５ａ〜３７ａは収納位置にあるときの説明カード３５〜３７の右上隅部に形成され、段付き枢支ボルト１６は設定表示パネル５の右上隅付近部位に配設されたので、説明カード３５〜３７を、前側から見て、時計回りに少なくとも９０度回動させて使用位置に切換えることにより、説明カード３５〜３７の略全体を段付き枢支ボルト１６よりも上側に位置させることができ、説明カード３５〜３７に記載された縫製情報の全てを、設定表示パネル５の前側から見ることができ、枢支機構３０による説明カード３５〜３７の表示機能を発揮することができる。
【００６１】
また、各説明カード３５〜３７に収納位置にした状態でも設定表示パネル５よりも前側から見ることのできる突出部３５ｂ〜３７ｂを設け、複数の突出部３５ｂ〜３７ｂが相互にラップしないように複数の突出部３５ｂ〜３７ｂの説明カード３５〜３７上の位置を設定したので、収納位置にある複数の説明カード３５〜３７のうちの所望の説明カード３５〜３７を、それに設けられた突出部３５ｂ〜３７ｂを摘んで引き出して使用位置に切換えできるため、説明カード３５〜３７の操作性が向上する。
【００６２】
また、説明カード３５〜３７は、収納位置から枢段付き枢支ボルト１６を中心にして時計回りに回動させて使用位置に切換えられるので、特に右利きのオペレータによる操作性を高めることができる。
【００６３】
また、説明カード３５〜３７を、収納位置から使用位置へ時計回りに回動させた場合、縫目形成手段の縫針７から遠ざかるので、説明カード３５〜３７を収納位置から使用位置へ切換えた場合に、縫針７が作業者の衣類に引っ掛かって破損又は変形しないような対策が可能になる。
【００６４】
また説明カード３５〜３７に記載さた縫製情報は、説明カード３５〜３７を使用位置に切換えた使用位置姿勢において目視可能な向きに記載されているので、説明カード３５〜３７を使用位置に切換えた使用可位置姿勢における縫製情報の読み易さ、表示能力を高めることができる。
【００６５】
また、説明カード３５〜３７の収納位置は、説明カード３５〜３７の下端が設定表示パネル５の脚部１０の一部に係止した位置であるので、説明カード３５〜３７を収納位置に回動規制が可能となり、しかも複数枚の説明カード３５〜３７の全てを、綺麗に揃えて収納位置に切換えることができる。
【００６６】
更に、説明カード３５〜３７は、枢支機構３０を介して着脱可能に構成されているので、不要になった説明カード３５〜３７の取外しを可能にでき、しかも別途用意した新規の説明カード３５〜３７を枢支機構３０に枢支させることが随時可能になる。
【００６７】
次に、前記実施形態を部分的に変更した変更形態について説明する。
【００６８】
１〕複数枚の説明カード３５〜３７を、収納位置から時計回りに約１８０度回動せさた位置を使用位置としてもよい。
【００６９】
２〕複数枚の説明カード３５〜３７の略中心位置を、段付き枢支ボルト１６により回動可能に枢支するようにしてもよい。
【００７０】
３〕複数枚の説明カード３５〜３７は矩形状でなく、円形であったり正多角形であってもよく、これらを混合させた様々な形状であってもよく、しかもこれら円形又は正多角形の説明カード３５〜３７の略中心位置を、段付き枢支ボルト１６により回動可能に枢支するようにしてもよい。
【００７１】
４〕複数枚の説明カード３５〜３７は平面状でなく、曲面状であってもよく、また立体的に構成された分厚いカードであってもよい。
【００７２】
５〕各説明カード３５〜３７に設けた突出部３５ｂ〜３７ｂは、その収納位置において、部分的に重なるように設けるようにしてもよく、突出部３５ｂ〜３７ｂの全体が相互に重なるように設けるようにしてもよい。
【００７３】
６〕各説明カード３５〜３７に設けた突出部３５ｂ〜３７ｂを削除するようにしてもよい。この場合でも、説明カード３５〜３７を択一的に摘んで引出すことは可能である。
【００７４】
７〕収納位置における説明カード３５〜３７の左上隅部に被枢支穴３５ａ〜３７ａを形成し、ケース部材１３の左上隅付近部位の段付き枢支ボルト１６により、複数枚の説明カード３５〜３７を反時計回りに回動させて使用位置に切換えるように構成してもよい。この場合には、左利きのオペレータにとって操作性が向上し、有利になる。
【００７５】
８〕枢支機構３０において、段付き枢支ボルト１６に設けた波形座金３１を省略し、複数枚の説明カード３５〜３７の回動抵抗を付加しないようにし、これら説明カード３５〜３７の位置切換えに伴う操作性を向上させるようにしてもよい。
【００７６】
９〕本案は、各種のディスプレイや操作ボタン、表示ランプを設けた各種の設定表示パネルを有する種々のボタン付けミシンに本発明を適用し得ることは勿論である。
【図面の簡単な説明】
【００７７】
【図１】本発明の実施形態に係るボタン付けミシンの右側面図である。
【図２】押えアーム及びボタン保持腕を示す部分平面図である。
【図３】押えアーム及びボタン保持腕の斜視図である。
【図４】押えアーム及びボタン保持腕の分解斜視図である。
【図５】押えアーム及びボタン保持腕の部分底面図である。
【図６】ボタン保持腕及び布押え部材の部分拡大平面ずである。
【図７】図６のＧ−Ｇ線縦断正面図である。
【図８】変更形態に係る図６相当図である。
【符号の説明】
【００７８】
１      穴かがりミシン
５      設定表示パネル
１０    脚部
１６    段付き枢支ボルト（締結ボルト）
３１    波形座金
３５    説明カード（運針パターン１）
３６    説明カード（運針パターン２）
３７    説明カード（エラーコード）
３５ａ  被枢支穴
３５ｂ  突出部
３６ａ  被枢支穴
３６ｂ  突出部
３７ａ  被枢支穴
３７ｂ  突出部
【図１】
2005143634.tif 000003
【図２】
2005143634.tif 000004
【図３】
2005143634.tif 000005
【図４】
2005143634.tif 000006
【図５】
2005143634.tif 000007
【図６】
2005143634.tif 000008
【図７】
2005143634.tif 000009
【図８】
2005143634.tif 000010